(57)【要約】【課題】光免疫療法を比較的手軽に施すことができ、患者の負担を減らすことができる、発光型治療具を提供する。【解決手段】この発光型治療具１０は、光免疫療法に必要とされる特定波長の光を照射するためのもので、先端部２１に光透過性の発光部２５を設けたチューブ２０と、チューブ２０の発光部２５の内側に配置され、特定波長の光を照射する発光体４０を実装したフレキシブル配線基板３０と、チューブ２０の基端部２２に接続され、発光体４０に電力を供給するための電源５１を有する本体部５０と、チューブ２０内に挿通され、一端がフレキシブル配線基板３０に接続され、他端が電源５１に接続されたリード線６０とを有している。【選択図】図１
2020043897.tif 000002
【特許請求の範囲】
【請求項１】
光免疫療法に必要とされる特定波長の光を照射するための治療具であって、
先端部に光透過性の発光部を設けたチューブと、
前記チューブの前記発光部の内側に配置され、前記特定波長の光を照射する発光体を実装したフレキシブル配線基板と、
前記チューブの基端部に接続され、前記発光体に電力を供給するための電源を有する本体部と、
前記チューブ内に挿通され、一端が前記フレキシブル配線基板に接続され、他端が前記電源に接続されたリード線とを有していることを特徴とする発光型治療具。
【請求項２】
前記チューブの延出方向途中の外周には、身体の所定箇所に係止可能で、前記身体の所定箇所に対して前記チューブを保持する、ストッパが装着されている請求項１記載の発光型治療具。
【請求項３】
前記本体部には、身体又は衣服の所定箇所に係止可能で、前記身体又は衣服の所定箇所に対して前記本体部を保持する、係止具が設けられている請求項１記載の発光型治療具。
【請求項４】
前記係止具は、耳かけ、耳当て、クリップから選ばれた一種からなる請求項３記載の発光型治療具。
【請求項５】
前記フレキシブル配線基板は、一対の側部が対向して配置するように、折曲部を介して折り曲げられた形状をなしており、各側部に前記発光体が複数個実装されている請求項１〜４のいずれか１つに記載の発光型治療具。
【請求項６】
前記フレキシブル配線基板は、螺旋状となるように捩られた形状をなしており、その外面に前記発光体が複数個実装されて、各発光体の向きが変化するように構成されている請求項１〜４のいずれか１つに記載の発光型治療具。
【請求項７】
前記フレキシブル配線基板は、円筒状となるように屈曲した形状をなしており、その外周面に前記発光体が複数個実装されている請求項１〜４のいずれか１つに記載の発光型治療具。
【請求項８】
前記フレキシブル配線基板の前記一対の側部の間、又は、螺旋状となるように捩られた形状をなす前記フレキシブル配線基板の内側、又は、円筒状となるように屈曲した形状をなす前記フレキシブル配線基板の内側に、流体の流入により膨張するバルーンが配置されており、
前記バルーンに流体を流入することで、前記フレキシブル配線基板を押し広げて、複数の前記発光体を、前記バルーンへの流体の流入前よりも、外方に移動させるように構成されている請求項５〜７のいずれか１つに記載の発光型治療具。
【請求項９】
前記発光体は、前記チューブの前記発光部内に充填される光透過性樹脂によって、前記発光部の内側に埋設されている請求項１〜８のいずれか１つに記載の発光型治療具。
【請求項１０】
前記チューブの前記発光部の外周には、体内で係止可能で、かつ、前記発光体から照射される光を散乱可能とする、凸部が設けられている請求項１〜９のいずれか１つに記載の発光型治療具。
【請求項１１】
前記本体部は、前記電源をオン・オフするスイッチと、前記電源からの電流を可変させる可変抵抗とを、更に有している、請求項１〜１０のいずれか１つに記載の発光型治療具。
【請求項１２】
前記チューブは、少なくとも第１ルーメン及び第２ルーメンを有するカテーテルチューブであって、
前記第１ルーメンには、ガイドワイヤが挿通可能とされており、
前記第２ルーメンには、前記発光体を実装した前記フレキシブル配線基板が挿入されると共に、前記リード線が挿通されており、更に、前記第２ルーメンの先端開口部は閉塞部材で閉塞されている請求項１〜１１のいずれか１つに記載の発光型治療具。
【発明の詳細な説明】
【技術分野】
【０００１】
本発明は、光免疫療法に必要とされる特定波長の光を照射するための、発光型治療具に関する。
【背景技術】
【０００２】
従来から、癌治療法は様々なものが考案されている。例えば、下記特許文献１には、免疫増強作用のあるシアニン系色素を癌巣に投与して、一定の光を照射することによって、生体の免疫機能を増強する、光免疫療法が記載されている。この特許文献１には、光免疫療法のための装置として、光源部、光誘導部及び光導入路と薬液流入路から構成される注入部を備え、光源部としてレーザー発振器または発光ダイオードを使用し、更に、薬液としてシアニン色素を使用するようにした、光免疫療法による癌治療装置が記載されている。
【０００３】
また、近年、正常組織を損傷することなく、腫瘍細胞を選択的に破壊する癌治療方法として、光免疫療法（近赤外光線免疫療法とも言われている）が注目されている。通常、癌細胞の周囲にも、癌細胞を破壊する免疫細胞が存在するが、癌細胞を取り巻く免疫抑制細胞によって、免疫細胞の作用が抑制されている。そこで、癌細胞や癌細胞の周囲に存在する免疫抑制細胞の表面にある特異的タンパク質を認識する抗体と、特定波長（例えば近赤外線）の光を吸収して化学反応を起こし、発熱等によって細胞を破壊する作用を有する感光物質とを結合させ、この結合体を体内に投与して癌細胞に付着させた後、感光物質が反応する特定波長の光を照射することで、感光物質に化学変化を起こさせ、癌細胞や免疫抑制細胞を破壊する、というものである。
【先行技術文献】
【特許文献】
【０００４】
【特許文献１】特開平７−１４４０２６号公報
【発明の概要】
【発明が解決しようとする課題】
【０００５】
上記のような、近赤外光線免疫療法では、光を照射する手段が必要であるため、上記特許文献１に記載の、レーザー発振器等の光源部を有する、癌治療装置を利用することが考えられる。しかし、上記のようなレーザー発振器は、大がかりな設備となるため、比較的規模の大きな医療施設でなければ、患者に治療を施すことができず、患者にとって負担であった。
【０００６】
したがって、本発明の目的は、光免疫療法を比較的手軽に施すことができ、患者の負担を減らすことができる、発光型治療具を提供することにある。
【課題を解決するための手段】
【０００７】
上記目的を達成するため、本発明に係る発光型治療具は、光免疫療法に必要とされる特定波長の光を照射するためのものであって、先端部に光透過性の発光部を設けたチューブと、前記チューブの前記発光部の内側に配置され、前記特定波長の光を照射する発光体を実装したフレキシブル配線基板と、前記チューブの基端部に接続され、前記発光体に電力を供給するための電源を有する本体部と、前記チューブ内に挿通され、一端が前記フレキシブル配線基板に接続され、他端が前記電源に接続されたリード線とを有していることを特徴とする。
【０００８】
上記発明によれば、チューブを先端側から体内に挿入し、光免疫療法の感光物質等が付着された患部に、チューブ先端側に設けた発光部を接触又は近接させて配置し、チューブの基端部及び本体部は体外に配置し、本体部の電源をオンにすることで、リード線を介して、フレキシブル配線基板に実装された発光体を発光させることができるので、その光を、患部に付着された感光物質等に照射して、患部の治療を施すことができる。
【０００９】
そして、この発光型治療具においては、発光体を発光させるための電力を、体外に配置される本体部の電源から直接供給することができると共に、本体部は体外に配置して携帯することができるので、光免疫療法を比較的手軽に施すことができ、患者への負担を減らすことができる。
【００１０】
本発明の発光型治療具においては、前記チューブの延出方向途中の外周には、身体の所定箇所に係止可能で、前記身体の所定箇所に対して前記チューブを保持する、ストッパが装着されていることが好ましい。
【００１１】
上記態様によれば、チューブの延出方向途中の外周には、身体の所定箇所に係止可能で、身体の所定箇所に対して前記チューブを保持する、ストッパが装着されているので、例えば、食道癌等を治療すべく、鼻孔からチューブを挿入する際に、鼻孔周縁にストッパを係止させることで、チューブを保持することができ、チューブ先端側の発光部を、体内の患部に位置合わせしやすくなり、発光体からの光を患部に適切に照射しやすくなる。
【００１２】
本発明の発光型治療具においては、前記本体部には、身体又は衣服の所定箇所に係止可能で、前記身体又は衣服の所定箇所に対して前記本体部を保持する、係止具が設けられていることが好ましい。
【００１３】
上記態様によれば、本体部には、身体又は衣服の所定箇所に係止可能で、身体又は衣服の所定箇所に対して本体部を保持する、係止具が設けられているので、本体部が体外で、ぶらついたり、ふらついたり、跳ねたりすることを抑制して、本体部を体外で安定して保持しやすくすることでき、携帯性を高めることができる。
【００１４】
本発明の発光型治療具においては、前記係止具は、耳かけ、耳当て、クリップから選ばれた一種からなることが好ましい。上記態様によれば、係止具は、耳かけ、耳当て、クリップから選ばれた一種からなるので、本体部を身体に密着させやすくして、より安定して保持することができる。
【００１５】
本発明の発光型治療具においては、前記フレキシブル配線基板は、一対の側部が対向して配置するように、折曲部を介して折り曲げられた形状をなしており、各側部に前記発光体が複数個実装されていることが好ましい。
【００１６】
上記態様によれば、フレキシブル配線基板は、一対の側部が対向して配置するように、折曲部を介して折り曲げられた形状をなしており、各側部に前記発光体が複数個実装されているので、発光部の内部空間を無駄なく活用しつつ、発光部の内側構造を、比較的コンパクトにすることができると共に、発光部の２面側から発光体の光を照射でき、患部に対しての光を比較的広範囲に照射することができる。
【００１７】
本発明の発光型治療具においては、前記フレキシブル配線基板は、螺旋状となるように捩られた形状をなしており、その外面に前記発光体が複数個実装されて、各発光体の向きが変化するように構成されていることが好ましい。
【００１８】
上記態様によれば、フレキシブル配線基板は、螺旋状となるように捩られた形状をなしており、その外面に前記発光体が複数個実装されて、各発光体の向きが変化するように構成されているので、患部に対して光をより広範囲に照射することができる。
【００１９】
本発明の発光型治療具においては、前記フレキシブル配線基板は、円筒状となるように屈曲した形状をなしており、その外周面に前記発光体が複数個実装されていることが好ましい。
【００２０】
上記態様によれば、フレキシブル配線基板は、円筒状となるように屈曲した形状をなしており、その外周面に発光体が複数個実装されているので、発光部からの光を放射状に照射することができ、患部に対して光をより広範囲に照射することができる。
【００２１】
本発明の発光型治療具においては、前記フレキシブル配線基板の前記一対の側部の間、又は、螺旋状となるように捩られた形状をなす前記フレキシブル配線基板の内側、又は、円筒状となるように屈曲した形状をなす前記フレキシブル配線基板の内側に、流体の流入により膨張するバルーンが配置されており、前記バルーンに流体を流入することで、前記フレキシブル配線基板を押し広げて、複数の前記発光体を、前記バルーンへの流体の流入前よりも、外方に移動させるように構成されていることが好ましい。
【００２２】
上記態様によれば、バルーンに流体を流入することで、フレキシブル配線基板を押し広げて、複数の前記発光体を、バルーンへの流体の流入前よりも、外方に移動させるように構成されているので、発光体を患部に近接させることができ、患部に対して光を近距離で照射することができる。
【００２３】
本発明の発光型治療具においては、前記発光体は、前記チューブの前記発光部内に充填される光透過性樹脂によって、前記発光部の内側に埋設されていることが好ましい。
【００２４】
上記態様によれば、発光体は、チューブの発光部内に充填される光透過性樹脂によって、発光部の内側に埋設されるように構成されているので、発光体からの光が透過して、患部に問題なく照射されると共に、発光部内で、発光体が位置ずれしたりガタついたりすることを防止して、発光体を発光部内の所定位置に保持することができる。
【００２５】
本発明の発光型治療具においては、前記チューブの前記発光部の外周には、体内で係止可能で、かつ、前記発光体から照射される光を散乱可能とする、凸部が設けられていることが好ましい。
【００２６】
上記態様によれば、チューブの発光部の外周には、体内で係止可能で、かつ、発光体から照射される光を散乱可能とする、凸部が設けられているので、チューブ先端側に設けた発光部を、体内の所定位置において位置決め固定することができ、所望の患部に光を照射しやすくすることができると共に、発光体からの光を散乱させて、光を広範囲に照射することができる。
【００２７】
本発明の発光型治療具においては、前記本体部は、前記電源をオン・オフするスイッチと、前記電源からの電流を可変させる可変抵抗とを、更に有していることが好ましい。上記態様によれば、電源をオン・オフするスイッチと、電源からの電流を可変させる可変抵抗とを、更に有しているので、発光体の明るさを適宜調整することができる。
【００２８】
本発明の発光型治療具においては、前記チューブは、少なくとも第１ルーメン及び第２ルーメンを有するカテーテルチューブであって、前記第１ルーメンには、ガイドワイヤが挿通可能とされており、前記第２ルーメンには、前記発光体を実装した前記フレキシブル配線基板が挿入されると共に、前記リード線が挿通されており、更に、前記第２ルーメンの先端開口部は閉塞部材で閉塞されていることが好ましい。
【００２９】
上記態様によれば、第１ルーメンに挿通されるガイドワイヤを介して、カテーテルチューブであるチューブをガイドさせつつ、体内の所定位置に移動させることできるので、ガイドワイヤが必要な、例えば、胆管癌等の比較的内径が小さい箇所にも、光免疫療法を適切に施すことができる。
【発明の効果】
【００３０】
本発明によれば、発光体を発光させるための電力を、体外に配置される本体部の電源から直接供給することができると共に、本体部は体外に配置して携帯することができるので、光免疫療法を比較的手軽に施すことができ、患者への負担を減らすことができる。
【図面の簡単な説明】
【００３１】
【図１】本発明に係る発光型治療具の、第１実施形態を示す説明図である。
【図２】同発光型治療具の要部拡大断面図である。
【図３】同発光型治療具を構成するフレキシブル配線基板の、要部拡大斜視図である。
【図４】（ａ）はフレキシブル配線基板及び発光体の関係を示す拡大説明図、（ｂ）はフレキシブル配線基板の展開状態（折曲前の状態）での説明図である。
【図５】同発光型治療具のチューブ先端側の製造工程を示しており、（ａ）は第１工程の説明図、（ｂ）は第２工程の説明図、（ｃ）は第３工程の説明図である。
【図６】同発光型治療具における、回路構造を示す説明図である。
【図７】同発光型治療具の使用状態を示す説明図である。
【図８】本発明に係る発光型治療具の、第２実施形態を示しており、（ａ）はその説明図、（ｂ）は（ａ）のＡ矢視線から見た場合の側面図である。
【図９】本発明に係る発光型治療具の、第３実施形態を示しており、（ａ）は同発光型治療具のチューブ先端側の製造工程の第１工程の説明図、（ｂ）は同製造工程の第２工程の説明図、（ｃ）は、チューブ先端側に配置したバルーンを膨らませた状態の説明図である。
【図１０】本発明に係る発光型治療具の、第４実施形態を示しており、（ａ）は同発光型治療具のチューブ先端側の製造工程の第１工程の説明図、（ｂ）は同製造工程の第２工程の説明図である。
【図１１】本発明に係る発光型治療具の、第５実施形態を示しており、その要部拡大斜視図である。
【発明を実施するための形態】
【００３２】
以下、図１〜７を参照して、本発明に係る発光型治療具の、第１実施形態について説明する。
【００３３】
この発光型治療具は、光免疫療法（近赤外光線免疫療法）に必要とされる特定波長の光を、患部に照射することによって、患部の治療を行うためのものである。この実施形態においては、例えば、図７に示すように、食道１内に生成された食道癌等の患部３に、光免疫療法を施すことが想定している。ただし、食道癌以外にも、例えば、胆管内に生成される胆管癌や、大腸癌、胃癌、その他の癌細胞が生成された様々な箇所に対して、光免疫療法を施す際に適用してもよく、適用箇所は特に限定されない。
【００３４】
図１及び図２に示すように、この実施形態における発光型治療具１０（以下、単に「治療具１０」ともいう）は、先端部２１に光透過性の発光部２５を設けたチューブ２０と、このチューブ２０の発光部２５の内側に配置され、特定波長の光を照射する発光体４０を実装したフレキシブル配線基板３０と、チューブ２０の基端部２２に接続され、発光体４０に電力を供給するための電源５１を有する本体部５０と、チューブ２０内に挿通され、一端がフレキシブル配線基板３０に接続され、他端が電源５１に接続されたリード線６０とを有している。すなわち、この実施形態の治療具１０は、複数の発光体４０が実装されたフレキシブル配線基板３０と、電源５１とが、リード線６０で有線接続された構造をなしている。また、この治療具１０は、チューブ２０の先端部２１側の発光部２５が体内に挿入される一方、チューブ２０の基端部２２側や本体部５０は体外に配置されて、携帯可能な構造となっている。なお、上述したように、治療具１０を食道癌が生成された患部３に配置する場合には、チューブ２０を、その先端部２１側から鼻孔５に挿入して、鼻腔や気道を通して、食道１内に挿入することになる。
【００３５】
以下、治療具１０について詳細に説明する。まず、チューブ２０について説明すると、この実施形態におけるチューブ２０は、一定径でもって所定長さで延びる円筒状をなしたチューブ本体２３を有している。このチューブ本体２３は、例えば、ポリウレタンや、ポリアミド、ポリエチレン、ポリプロピレン等の合成樹脂から形成され、その外径Ｄ（図２参照）は、２〜０．５ｍｍであることが好ましく、１〜０．５ｍｍであることがより好ましい。
【００３６】
また、図２に示すように、チューブ２０の先端部２１は、前記チューブ本体２３とは別部材とされた略円筒状をなすと共に、その最先端が丸みを帯びた曲面状の閉塞部２１ａによって閉塞された、有底キャップ状を呈している。そして、先端部２１の基端面を、チューブ本体２３の先端面に突き合わせて、その突き合わせ面が、接着剤や溶着等によって固着されることで、チューブ本体２３に先端部２１が接続されて一体化するようになっている。ただし、チューブ本体と先端部とを一体形成してもよい。また、チューブの形状は特に限定されない。
【００３７】
更に図２に示すように、チューブ２０の発光部２５の、先端から基端までの長さＬは、５〜５０ｍｍであることが好ましく、１０〜２０ｍｍであることがより好ましく、更に、患部３の大きさよりも長いことが望ましい。
【００３８】
また、図２に示すように、チューブ２０の先端部２１に設けられた発光部２５の外周には、体内で係止可能で、かつ、発光体４０から照射される光を散乱可能とする、複数の凸部２７が設けられている。この実施形態では、両側面がテーパ状をなした、略台形状をなした凸部２７が、発光部２５の軸方向に沿って所定間隔を空けて複数設けられ（ここでは２個）、かつ、発光部２５の周方向に沿って複数列設けられている。
【００３９】
なお、凸部としては、例えば、（１）略四角形状をなすように発光部外周から突出した形状としたり、（２）チューブ先端側に向く面を、チューブ先端側から基端側に向けて次第に高さが高くなるテーパ面とし、チューブ基端側に向く面を直角面とした、略直角三角形状をなすように発光部外周から突出した形状としたり、（３）発光部外周が波打つように（波型曲線状をなすように）に突出した形状としたりしてもよく、体内で係止可能で、かつ、発光体から照射される光を散乱可能であれば、どのような形状であってもよい。
【００４０】
また、上記チューブ２０には、例えば、Ｐｔ、Ｔｉ、Ｐｄ、Ｒｈ、Ａｕ、Ｗ、Ａｇ、Ｂｉ、Ｔａ及びこれらの合金等からなる、Ｘ線不透過性のマーカーを設けることが好ましい。上記マーカーは、例えば、発光部２５の先端及び／又は基端に隣接して設けることがより好ましい。
【００４１】
次に、チューブ２０の発光部２５の内側に配置されるフレキシブル配線基板３０（以下、単に「配線基板３０」ともいう）について説明する。この配線基板３０は、柔軟性を有しており折り曲げ可能となっている。また、この実施形態の配線基板３０は、図４（ｂ）に示すように、細長く延びる長板状をなしており、その長手方向中央が折曲線Ｓ（図４（ｂ）参照）でＲ状をなして折り曲げられることによって、図２や図３に示すように、Ｒ状曲面を有する折曲部３１を介して、一対の側部３３，３３が互いに平行となるように対向して配置された、略Ｕ字形状となっている。
【００４２】
更に図４（ａ）に示すように、各側部３３の外面（対向配置された側部３３の対向面とは反対側の面を意味する。以下の説明でも同様）には、複数の発光体４０や電極４５等を接続するための配線パターン（カソード配線３４及びアノード配線３５等）が形成されている。そして、各側部３３の外面側に、カソード配線３４を介して、発光体４０が実装されている。この実施形態では、各側部３３に、４個の発光体４０が所定間隔をあけて実装されている。更に、各発光体４０は、図４（ａ）に示すように、ワイヤー４１を介して前記アノード配線３５に電気的に接続されている（いわゆるワイヤーボンディング）。また、発光体４０及びワイヤー４１は、樹脂層４３によって覆われて絶縁されている。
【００４３】
なお、上記は、ベアチップを用いた、いわゆるベアチップ実装による、発光体の実装方法が示されているが、発光体４０を標準的なパッケージ（例えば、１００５，１６０８）に実装した状態で、フレキシブル配線基板３０に実装してもよく、実装方法は特に限定されない。
【００４４】
更に、この実施形態における発光体４０は、いわゆる発光ダイオード（ＬＥＤ）とされている。なお、この発光型治療具１０は、例えば、図７に示すように、癌組織である患部３に近接して配置され（図７では密着配置されている）、患部３に選択的に付着された感光物質に、発光体４０により感光性の光を照射することで、患部３の治療を行う光免疫療法を施すものであるが、この際の感光物質としては、例えば、ＩＲ７００を用いることができる。この際の、発光体４０から照射される光としては、例えば、波長６８０〜７００ｎｍの近赤外光とされている。
【００４５】
また、図２や図３に示すように、配線基板３０の各側部３３の外面であって、折曲部３１とは反対側の端部には、電極４５，４５がそれぞれ設置されている。各電極４５は、配線基板３０の所定の配線パターンに接続されており、また、リード線６０の一端が接続されている。
【００４６】
上記のように、複数の発光体４０が実装された配線基板３０は、図２に示すように、少なくとも発光体４０が実装された部分が、チューブ２０の発光部２５の内側に配置されるようになっている。また、図２に示すように、チューブ２０の発光部２５の内側と、複数の発光体４０を実装した配線基板３０との間には、例えば、エポキシ樹脂や、ポリカーボネート、アクリル樹脂、ＡＢＳ樹脂、シリコーン樹脂等の、透明な樹脂材料である光透過性樹脂２９が充填されるようになっている。その結果、複数の発光体４０は、チューブ２０の発光部２５内に充填される光透過性樹脂２９によって、ワイヤー４１及び樹脂層４３ごと、発光部２５の内側に埋設されることとなる（図２参照）。
【００４７】
また、配線基板３０のうち、複数の発光体４０が実装されてない部分は、図２に示すように、チューブ２０の発光部２５の基端側から引き出されて、チューブ本体２３内に位置するように配置される。
【００４８】
なお、フレキシブル配線基板としては、上記のような略Ｕ字状に折曲した形状ではなく、単に長板状をなしていたり、円筒状に屈曲したり、螺旋状に捩られたりした形状であってもよい（円筒状や螺旋状の形状については、後述の実施形態で説明する）。また、フレキシブル配線基板３０の一対の側部３３，３３の間に、流体の流入により膨張するバルーンを配置して、バルーンに流体を流入することで、フレキシブル配線基板３０を押し広げて、複数の発光体４０を、バルーンへの流体の流入前よりも、外方に移動させるように構成してもよい（このバルーンによる膨張構造については、後述の第３実施形態において詳述する）。
【００４９】
上記のような、チューブ２０の先端部２１や発光部２５側の構造は、例えば、図５（ａ）〜（ｃ）に示すような工程で製造することができる。
【００５０】
すなわち、図４（ｂ）に示すように、配線基板３０の一対の側部３３，３３の外面側に、カソード配線３４やアノード配線３５等の配線パターンを形成すると共に、複数の発光体４０をワイヤー４１を介してアノード配線３５に接続し、かつ、電極４５を設置する。その後、折曲線Ｓを介して、一対の側部３３，３３を互いに平行となるように折曲する。
【００５１】
そして、図５（ａ）に示すように、発光部２５の外周形状を形成するための、内周形状を有し、互いに近接離反可能とされた上下一対の射出成型用の金型１００，１０１の、キャビティ１０５（溶融樹脂が充填される空間）内に、配線基板３０の、複数の発光体４０が実装された部分をセットする。この実施形態の金型１００，１０１の内周には、発光部２５外周の凸部２７に適合する、凹部１０３が複数形成されている。なお、配線基板３０のうち、複数の発光体４０が実装されてない部分は、一対の金型１００，１０１のキャビティ１０５内から引き出された位置にセットする（図５（ａ）参照）。
【００５２】
次いで、図５（ｂ）に示すように、一対の金型１００，１０１を近接させて、配線基板３０の、複数の発光体４０が実装されてない部分を挟持して、一対の金型１００，１０１を閉じる。その状態で、金型１００，１０１のキャビティ１０５内に、透明な光透過性の樹脂材料を充填する。その結果、発光部２５の外周に、複数の凸部２７が形成されると共に、発光部２５の内側に、複数の発光体４０が埋設された、チューブ２０の先端構造が製造される（図５（ｂ）参照）。その後、一対の金型１００，１０１を開いて、各型内から先端部２１を抜型し、その状態で、図５（ｃ）に示すように、先端部２１の基端面を、チューブ本体２３の先端面に突き合わせて、その突き合わせ面を接着剤等で固着することで、チューブ本体２３に先端部２１が接続されて、先端部２１に発光部２５を設けたチューブ２０を得ることができる。
【００５３】
次に、チューブ２０の基端部２２に接続される本体部５０について説明する。図１に示すように、この実施形態における本体部５０は、内部空間を有する箱状をなしており、その内部に、配線基板３０に実装した複数の発光体４０に電力を供給するための、電源５１が配置されている。この電源５１には、一端が電極４５，４５に接続された、リード線６０，６０の他端がそれぞれ接続されるようになっており、これらのリード線６０，６０を介して、フレキシブル配線基板３０と電源５１とが導通するようになっている。
【００５４】
この実施形態における電源５１は、円盤状をなした、いわゆるボタン型電池となっており、また、この電源５１は本体部５０の外部に露出しないように、本体部５０に内蔵されている。なお、電源としては、ボタン型電池でなくとも、例えば、円柱状の一般的な乾電池や、角型の積層電池、更には充電可能な二次電池等としてもよく、複数の発光体に光免疫療法に十分な電力（例えば、２．４〜３．０Ｖ程度）を供給可能であればよく、特に限定はされない。また、電源は、本体部に複数設けてもよい。
【００５５】
更に図１に示すように、本体部５０は、電源５１をオン・オフするスイッチ５３と、電源５１からの電流を可変させる可変抵抗５５とを更に有している。前記スイッチ５３の本体５３ａ、及び、前記可変抵抗５５の本体５５ａは、本体部５０内に配置されている。また、前記スイッチ５３の、スライド式の操作部５３ｂ、及び、前記可変抵抗５５の、円柱状をなしたボリュームつまみ式の操作部５５ｂは、本体部５０の外部に露出しており、スイッチ５３及び可変抵抗５５を、本体部５０の外側から操作可能となっている。このように、可変抵抗５５の操作部５５ｂを本体部５０の外部から操作可能であるため、電源５１からの電流を任意に変更可能となっている。更に、これらのスイッチ５３や可変抵抗５５は、図示しない導線を介して電源５１に接続されている。
【００５６】
図６には、この実施形態の治療具１０の回路図が示されている。同図６に示すように、複数の発光体４０が並列して配置されている（チューブ２０の配線基板３０側の構造）と共に、これらの複数の発光体４０に、可変抵抗５５、電源５１、スイッチ５３（本体部５０側の構造）が接続された構成となっている。
【００５７】
また、本体部５０には、身体又は衣服の所定箇所に係止可能で、身体又は衣服の所定箇所に対して、本体部５０を保持するための、係止具が設けられている。図１に示すように、この実施形態では、本体部５０の側壁の所定箇所から、本体部５０の外方へ向けて、曲面状をなすように延びる、耳かけ５７が設けられている。図７に示すように、この耳かけ５７は、患者の耳７に引き掛け可能となっており、それによって本体部５０は耳７から脱落しないように保持されるようになっている。すなわち、この実施形態では、耳かけ５７が本発明における「係止具」をなしている。
【００５８】
ただし、係止具しては、上記のような耳かけ以外にも、ヘッドバンドで連結され両耳の側方に配置される、イヤーマフ型（オーバーイヤーヘッドホン型）の耳当てとしたり、更には、患者の身体ではなく、衣服に係止可能な、クリップ型（これについては後述の第２実施形態で説明する）、等としてもよく、特に限定はされない。
【００５９】
更に、チューブ２０の延出方向途中の外周には、身体の所定箇所に係止可能で、身体の所定箇所に対してチューブ２０を保持するための、ストッパ７０が装着されている。この実施形態のストッパ７０は、図１に示すように、チューブ２０の外周にスライド可能に配置された、円筒状をなした挿入部７１と、該挿入部７１のチューブ基端側の端部から、チューブ２０の基端部２２側に向けて次第に拡径する、ラッパ状をなした係止部７３とが、一体形成された構造となっている。なお、このストッパ７０は、チューブ２０の軸方向に沿ってスライド可能となっている。ただし、ストッパ７０の挿入部７１の内周とチューブ２０の外周とはぼぼ密接しており、ストッパ７０はチューブ２０の任意の箇所に保持可能となっている。
【００６０】
そして、この実施形態のストッパ７０は、図７に示すように、患者の鼻孔５内に、円筒状の挿入部７１が挿入されると共に、鼻孔５の周縁部に、ラッパ状をなした係止部７３が係止することで、鼻腔や気道を介して患者の食道１内に挿入されたチューブ２０を、身体に対して保持可能となっている。
【００６１】
なお、上記ストッパ７０は、チューブを鼻孔５から挿入する場合に適した形状となっているが、例えば、大腸癌の治療のために、肛門からチューブを挿入する場合には、ラッパ状の係止部を更に拡径した形状等としてもよく、発光型治療具の適用箇所に応じて、適宜その形状を変更することが好ましい。
【００６２】
次に、上記構成からなる本発明に係る治療具１０の、使用方法の一例について説明する。なお、この使用方法は一例であり、特に限定はされない。
【００６３】
この実施形態では、食道１に生成された食道癌である患部３に、光免疫療法を施す場合について説明するが、上述したように、胆管癌や、大腸癌、胃癌等に、光免疫療法を施す際に適用してもよく、適用箇所は限定されない。
【００６４】
まず、抗体と感光物質（例えば、ＩＲ７００）との結合体を、静脈注射等により体内に投与して、この結合体を患部３（ここでは食道癌）に付着させる。この状態で、例えば、Ｘ線透視下において、チューブ２０の先端部２１を鼻孔５に差し込んで、Ｘ線不透過性のマーカー等を確認しつつ、チューブ２０を挿入していき、鼻腔や気道を通して、その先端部２１を食道１の患部３に整合する位置まで移動させて、発光部２５を患部３に接触又は近接させて配置する。ここでは、発光部外周に突設した複数の凸部２７を、患部３に係止させて、チューブ２０の先端部２１を患部３に位置決め固定して、発光部２５を患部３の内側に近接配置する。
【００６５】
また、チューブ２０の基端部２２や本体部５０は、体外に配置する。そして、本体部５０に一体形成された耳かけ５７を、耳７に引き掛けると共に、チューブ２０に対してストッパ７０を適宜スライドして、その位置を調整して、ラッパ状の係止部７３を鼻孔５の周縁部に係止させることで、身体に対して本体部５０及びチューブ２０を保持する（図７参照）。
【００６６】
上記状態で、本体部５０のスイッチ５３をオンにする。すると、本体部５０内の電源５１からの電力が、リード線６０を通り、配線基板３０の電極４５，４５を介して、複数の発光体４０に供給されて、所定波長の光（例えば、近赤外光）が患部３に向けて照射される。その結果、患部３に付着されたＩＲ７００等の感光物質を反応させて、患部３に光免疫療法を施すことができる。
【００６７】
そして、この発光型治療具１０においては、複数の発光体４０を発光させるための電力を、体外に配置される本体部５０の電源５１から直接供給することができると共に、本体部５０は、体外に配置して携帯することができるので、光免疫療法を比較的手軽に施すことができ、患者への負担を減らすことができる。すなわち、従来のレーザー発振器等を有する癌治療装置の場合には、大がかりな設備となり比較的規模の大きな医療施設でなければ、患者に治療を施すことがないが、この治療具１０では、電源５１を有する本体部５０がリード線６０を介して配線基板３０に接続され、本体部５０を体外に配置して携帯できるので、比較的規模の小さい病院や診療所等でも、治療を施すことができ、また、治療中にある程度動くことも可能であるため、患者の身体への負担も少なく、時間的・経済的な観点からも負担が少ない。
【００６８】
なお、胆管癌や大腸癌等に光免疫療法を施す場合には、図示しない内視鏡を、患者の口や肛門から挿入して、内視鏡の先端部を体内の所定位置（胆管や大腸）まで移動させた後、内視鏡のルーメンを通じて、治療具１０のチューブ２０を挿入して、内視鏡の先端部開口から、同チューブ２０の先端部２１を挿出させて、発光部２５を胆管癌や大腸癌に接触又は近接配置した後、スイッチ５３をオンにして発光体４０を発光させて、光免疫療法を施すこととなる。
【００６９】
また、この実施形態においては、図１に示すように、チューブ２０の延出方向途中の外周には、身体の所定箇所に係止可能で、身体の所定箇所に対して前記チューブを保持する、ストッパ７０が装着されている。そのため、図７に示すように、例えば、食道癌等を治療すべく、鼻孔５からチューブ２０を挿入する際に、鼻孔５の周縁部にストッパ７０（ここではストッパ７０のラッパ状の係止部７３）を係止させることで、チューブ２０を身体（ここでは鼻孔５）に対して保持することができる。その結果、チューブ２０の先端部２１に設けた発光部２５を、体内の患部３に位置合わせしやすくなり、発光体４０からの光を、患部３に適切に照射しやすくなる。
【００７０】
更に、この実施形態における本体部５０には、身体又は衣服の所定箇所に係止可能で、身体又は衣服の所定箇所に対して本体部５０を保持する係止具、すなわち、この実施形態では、図７に示すように、患者の耳７に引き掛け可能な耳かけ５７が設けられている。そのため、本体部５０が体外で、ぶらついたり、ふらついたり、跳ねたりすることを抑制して、本体部５０を体外で安定して保持しやすくすることでき、その携帯性を高めることができる。また、上記のように、係止具を耳かけ５７とした場合には、本体部５０を身体（ここでは耳７）に密着させやすくして、より安定して保持することができる。
【００７１】
更に、この実施形態における配線基板３０は、図２に示すように、一対の側部３３，３３が対向して配置するように、折曲部３１を介して折り曲げられた形状をなしており、各側部３３に発光体４０が複数個実装されている。そのため、チューブ２０の先端部２１に設けた発光部２５の内部空間を無駄なく活用しつつ、発光部２５の内側構造を、比較的コンパクトにすることができると共に、発光部２５の２面側から発光体４０の光を照射でき、患部３に対しての光を比較的広範囲に照射することができる。
【００７２】
また、この実施形態における発光体４０は、図２に示すように、チューブ２０の発光部２５内に充填される光透過性樹脂２９によって、発光部２５の内側に埋設されるように構成されている。そのため、発光体４０からの光を透過させて、患部３に問題なく照射させることができると共に、発光部２５内で、発光体４０が位置ずれしたりガタついたりすることを防止して、発光体４０を発光部２５内の所定位置に保持することができる。
【００７３】
更に、この実施形態においては、図２に示すように、チューブ２０の先端部２１に設けた発光部２５の外周には、体内で係止可能で、かつ、発光体４０から照射される光を散乱可能とする、凸部２７が設けられている。そのため、この凸部２７によって、チューブ先端側に設けた発光部２５を、体内の所定位置において位置決め固定することができ、所望の患部３に光を照射しやすくすることができると共に、発光体４０からの光を散乱させて、光を広範囲に照射することができる。
【００７４】
また、この実施形態では、図１に示すように、本体部５０は、電源５１をオン・オフするスイッチ５３と、電源５１からの電流を可変させる可変抵抗５５とを更に有しているので、発光体４０の明るさを適宜調整することができる。
【００７５】
図８には、本発明に係る発光型治療具の、第２実施形態が示されている。なお、前記実施形態と実質的に同一部分には同符号を付してその説明を省略する。
【００７６】
この実施形態の発光型治療具１０Ａ（以下、単に「治療具１０Ａ」ともいう）は、前記治療具１０と比較して、本体部に設けた係止具の構造が異なっている。すなわち、図８（ｂ）に示すように、この治療具１０Ａの本体部５０には、その裏面（スイッチ５３の操作部の露出面とは、反対側の面）側に、金属製のクリップ５９が設けられている。このクリップ５９は、基端部５９ａ側から先端部５９ｂ側に向けて次第に高さが低くなり、先端部５９ｂが本体部５０の裏面に接する構造となっている。その結果、クリップ５９の先端部５９ｂと、本体部５０の裏面との間で、衣服の所定箇所（例えば、胸ポケットや、襟、裾等）を挟持して、本体部５０を保持可能となっている。
【００７７】
そのため、このクリップ５９を設けたことによって、本体部５０が体外で、ぶらついたり、ふらついたり、跳ねたりすることを抑制して、本体部５０を体外で安定して保持しやすくすることでき、その携帯性を高めることができると共に、本体部５０を身体に密着させやすくして、より安定して保持することができる。
【００７８】
図９には、本発明に係る発光型治療具の、第３実施形態が示されている。なお、前記実施形態と実質的に同一部分には同符号を付してその説明を省略する。
【００７９】
この実施形態の発光型治療具１０Ｂ（以下、単に「治療具１０Ｂ」ともいう）は、前記治療具１０，１０Ａと比較して、フレキシブル配線基板の形状が異なっている。
【００８０】
すなわち、図９（ａ）に示すように、この実施形態におけるフレキシブル配線基板３０Ｂ（以下、単に「配線基板３０Ｂ」ともいう）は、円筒状となるように屈曲した形状をなしており、その周面に発光体４０が複数個実装されている。
また、図９（ｂ）に示すように、チューブ２０の内周には、カテーテル８１と、その先端部外周に装着されたゴム膜等からなるバルーン８３とを有するバルーンカテーテル８０が配置されている。そして、円筒状となるように屈曲した配線基板３０Ｂの内側には、バルーンカテーテル８０のバルーン８３が配置されている。そして、このバルーンカテーテル８０のカテーテル８１を通してバルーン８３内に流体を注入することで、図９（ｃ）に示すように、バルーン８３が膨張して、配線基板３０Ｂを押し広げて外方に移動させることができるように構成されている。
【００８１】
この実施形態においては、配線基板３０Ｂは、円筒状となるように屈曲した形状をなしており、その外周面に発光体４０が複数個実装されているので、チューブ２０の発光部２５からの光を放射状に照射することができ、患部３に対して光をより広範囲に照射することができる。また、円筒状に屈曲した配線基板３０Ｂの内側に、配置されたバルーン８３を膨張させて、配線基板３０Ｂを内側から押し広げて、複数の発光体４０を、バルーン８３への流体の流入前（図９（ｂ）参照）よりも、チューブ外方に移動させることにより、発光体４０を患部３に近接させることができ、患部３に対して光を近距離で照射することができる。
【００８２】
図１０には、本発明に係る発光型治療具の、第４実施形態が示されている。なお、前記実施形態と実質的に同一部分には同符号を付してその説明を省略する。
【００８３】
この実施形態の発光型治療具１０Ｃ（以下、単に「治療具１０Ｃ」ともいう）は、前記治療具１０，１０Ａ，１０Ｂと比較して、フレキシブル配線基板の形状が異なっている。
【００８４】
すなわち、この実施形態におけるフレキシブル配線基板３０Ｃ（以下、単に「治療具１０Ｃ」ともいう）は、図１０（ａ）に示すような、長板状の配線基板３０Ｃが、図１０（ｂ）に示すように、螺旋状となるように捩られた形状となっている。また、螺旋状に捩られた配線基板３０Ｃの外面には、発光体４０が複数個実装されており、その結果、各発光体４０の向きが変化するように構成されている。
【００８５】
また、螺旋状に捩れられた配線基板３０Ｃの内側に、前記第３実施形態のように、流体の流入により膨張するバルーンを配置して、バルーンに流体を流入することで、フレキシブル配線基板３０を押し広げて、複数の発光体４０を、バルーンへの流体の流入前よりも、外方に移動させるように構成してもよい。
【００８６】
そして、この実施形態においては、配線基板３０Ｃは、螺旋状となるように捩られた形状をなしており、その外面に発光体４０が複数個実装されて、各発光体４０の向きが変化するように構成されているので、患部３に対して光をより広範囲にかつ均一に照射することができる。
【００８７】
図１１には、本発明に係る発光型治療具の、第５実施形態が示されている。なお、前記実施形態と実質的に同一部分には同符号を付してその説明を省略する。
【００８８】
この実施形態の発光型治療具１０Ｄ（以下、単に「治療具１０Ｄ」ともいう）は、チューブ２０Ｄが、少なくとも第１ルーメンＲ１及び第２ルーメンＲ２を有するカテーテルチューブとなっている。前記第１ルーメンＲ１には、ガイドワイヤＧが挿通可能となっている。また、前記第２ルーメンＲ２の先端側内周には、複数の発光体４０を実装した、長板状をなしたフレキシブル配線基板３０Ｄが挿入されており、同フレキシブル配線基板３０は、接着剤等を介して、第２ルーメンＲ２の内周に固定されている。また、一端がフレキシブル配線基板３０に接続されたリード線６０も、第２ルーメンＲ２内に挿通されている。更に、第２ルーメンＲ２の最先端の開口部内周に、閉塞部材２８が圧入されて、第２ルーメンＲ２の先端開口部が閉塞されており、第２ルーメンＲ２内に、体液や血液が流入しないようになっている。なお、このチューブ２０Ｄには、前記実施形態におけるチューブ２０と同様に、発光部２５を有すると共に、Ｘ線不透過性のマーカーが設けられている。
【００８９】
そして、上記治療具１０Ｄを用いて、例えば、胆管癌に光免疫療法を施すには、以下のようにする。すなわち、周知の内視鏡のルーメンに、治療具１０のチューブ２０Ｄを挿入し、内視鏡先端部を乳頭近傍まで位置させた後、チューブ２０Ｄの第１ルーメンＲ１に挿通されたガイドワイヤＧを、乳頭を介して胆管内に挿入して所定位置まで移動させる。その後、ガイドワイヤＧを介して、Ｘ線透視下でマーカーを確認しながら、チューブ２０Ｄを移動させて、チューブ先端部の発光部２５を、胆管癌が生成された箇所に位置させた後、光免疫療法を施すこととなる。
【００９０】
このように、この実施形態の治療具１０Ｄにおいては、第１ルーメンＲ１に挿通されるガイドワイヤＧを介して、カテーテルチューブであるチューブ２０Ｄをガイドさせつつ、体内の所定位置に移動させることできるので、ガイドワイヤＧが必要な、例えば、胆管癌等の比較的内径が小さい箇所にも、光免疫療法を適切に施すことができる。
【００９１】
なお、本発明は、上述した実施形態に限定されるものではなく、本発明の要旨の範囲内で、各種の変形実施形態が可能であり、そのような実施形態も本発明の範囲に含まれる。
【符号の説明】
【００９２】
１  食道
３  患部
５  鼻孔
７  耳
１０，１０Ａ，１０Ｂ，１０Ｃ，１０Ｄ  発光型治療具（治療具）
２０  チューブ
２１  先端部
２１ａ  閉塞部
２２  基端部
２３  チューブ本体
２５  発光部
２７  凸部
２８  閉塞部材
２９  光透過性樹脂
３０，３０Ｂ，３０Ｃ，３０Ｄ  フレキシブル配線基板（配線基板）
３１  折曲部
３３  側部
３４  カソード配線
３５  アノード配線
４０  発光体
４１  ワイヤー
４３  樹脂層
４５  電極
５０  本体部
５１  電源
５３  スイッチ
５３ａ  本体
５３ｂ  操作部
５５  可変抵抗
５５ａ  本体
５５ｂ  操作部
５７  耳かけ
５９  クリップ
５９ａ  基端部
５９ｂ  先端部
６０  リード線
７０  ストッパ
７１  挿入部
７３  係止部
８０  バルーンカテーテル
８１  カテーテル
８３  バルーン
１００，１０１  金型
１０３  凹部
１０５  キャビティ
Ｒ１  第１ルーメン
Ｒ２  第２ルーメン
【図１】
2020043897.tif 000003
【図２】
2020043897.tif 000004
【図３】
2020043897.tif 000005
【図４】
2020043897.tif 000006
【図５】
2020043897.tif 000007
【図６】
2020043897.tif 000008
【図７】
2020043897.tif 000009
【図８】
2020043897.tif 000010
【図９】
2020043897.tif 000011
【図１０】
2020043897.tif 000012
【図１１】
2020043897.tif 000013